(57)【要約】【課題】重送の有無を精度よく判定すると共に、重送の発生検知後にそのまま原稿の読取動作を継続しても、重送の発生箇所を後に特定することのできる画像処理装置を提供する。【解決手段】検知手段（検知読出手段５３）は、自動原稿搬送装置２０で１枚ずつ搬送しながら画像を読み取っている原稿に付された情報記憶媒体を検知する。判定手段５６はこの検知結果に基づいて複数枚の原稿が重なって搬送される重送の有無を検知する。書込手段５４は、重送と判定された原稿の情報記憶媒体に、重送となった旨を示す重送情報を書き込む。【選択図】図２
2008306748.tif 000002
【特許請求の範囲】
【請求項１】
所定の読取位置で原稿の画像を読み取り、画像データを得る読取手段と、
複数枚の原稿からなる原稿束から該原稿を１枚ずつ繰り出して前記読取位置へ搬送するように構成された自動原稿搬送装置と、
前記自動原稿搬送装置が搬送中の原稿に付されている情報記憶媒体を検知する検知手段と、
前記検知手段の検知結果に基づいて、複数の原稿が重なって搬送される重送の有無を判定する判定手段と、
前記判定手段によって重送と判定された原稿の情報記憶媒体に、該原稿が重送となった旨を示す重送情報と、該原稿を含む原稿束に対するジョブのジョブ情報を書き込む書込手段と、
前記自動原稿搬送装置が搬送中の原稿に付されている情報記憶媒体に書き込まれている重送情報およびジョブ情報を読み出す読出手段と、
を有し、
前記判定手段によって重送と判定された原稿を含む原稿束については重送が検知された後も原稿の読取動作を継続させると共に、前記判定手段により重送と判定されなかった原稿に対応する画像データをそのジョブ情報と関連つけて保存する一方で、前記保存された画像データに対するジョブの実行を保留し、
その後、前記読出手段によって前記重送情報の読み出された原稿から画像データを得ると共に、該画像データと、該画像データに係る保留されているジョブの保存されている画像データとに対して、そのジョブ情報に基づいてジョブを実行する
ことを特徴とする画像処理装置。
【請求項２】
所定の読取位置で原稿の画像を読み取り、画像データを得る読取手段と、
複数枚の原稿からなる原稿束から該原稿を１枚ずつ繰り出して前記読取位置へ搬送するように構成された自動原稿搬送装置と、
前記自動原稿搬送装置が搬送中の原稿に付されている情報記憶媒体を検知する検知手段と、
前記検知手段によって検知された情報記憶媒体に書き込まれている固有の識別情報を読み出す読出手段と、
前記検知手段の検知結果に基づいて、複数の原稿が重なって搬送される重送の有無を判定する判定手段と、
記憶手段と、
を有し、
前記判定手段によって重送と判定された原稿を含む原稿束については重送が検知された後も原稿の読取動作を継続させると共に、重送と判定された原稿の情報記憶媒体から前記読出手段によって読み出された識別情報と、ジョブ情報と、重送と判定されなかった原稿に対応する画像データとを対応付けて保存する一方で、前記保存された画像データに対するジョブの実行を保留し、
その後、前記読出手段によって読み出された識別情報と前記記憶手段に記憶されている識別情報とを照合し、一致する場合はその原稿から画像データを得ると共に、該画像データと、前記一致した識別情報に対応付けて保存されている画像データとに対して、前記一致した識別情報に対応付けて保存されているジョブ情報に基づいてジョブを実行する
ことを特徴とする画像処理装置。
【請求項３】
所定の読取位置で原稿の画像を読み取り、画像データを得る読取手段と、
複数枚の原稿からなる原稿束から該原稿を１枚ずつ繰り出して前記読取位置へ搬送するように構成された自動原稿搬送装置と、
前記自動原稿搬送装置が搬送中の原稿に付されている情報記憶媒体を検知する検知手段と、
前記検知手段によって検知された情報記憶媒体に書き込まれている固有の識別情報を読み出す読出手段と、
前記検知手段の検知結果に基づいて、複数の原稿が重なって搬送される重送の有無を判定する判定手段と、
前記判定手段によって重送と判定された原稿の情報記憶媒体から前記読出手段によって読み出された識別情報と前記原稿を含む原稿束に対するジョブのジョブ情報とを対応付けて記憶する記憶手段と、
を有し、
前記読出手段によって読み出された識別情報と前記記憶手段に記憶されている識別情報とを照合し、一致する場合はその原稿から画像データを得ると共に、該画像データに対して、前記一致した識別情報に対応付けて保存されているジョブ情報に基づいてジョブを実行する
ことを特徴とする画像処理装置。
【請求項４】
前記情報記憶媒体には前記原稿束の中でのページ位置を示すページ番号情報が記憶されており、
過去に重送された原稿を読み取って得た画像データを、該原稿に付与された前記情報記憶媒体から読み出したページ番号情報に基づくページ位置に補充する
ことを特徴とする請求項１または２に記載の画像処理装置。
【請求項５】
前記判定手段は、任意の原稿につき、該原稿に付されている情報記憶媒体が検知される予定の期間における前記検知手段の検知結果に基づいて重送の有無を判定する
ことを特徴とする請求項１乃至４のいずれか１つに記載の画像処理装置。
【請求項６】
前記判定手段は、前記検知手段が第１の原稿に付されている第１の情報記憶媒体を検知してから第２の原稿に付されている第２の情報記憶媒体を検知するまでの時間差に基づいて重送の有無を判定する
ことを特徴とする請求項１乃至４のいずれか１つに記載の画像処理装置。
【請求項７】
ジョブが、読み取った原稿の画像データを指定の相手先に送信する送信ジョブの場合は、前記ジョブ情報として前記相手先を表わす相手先情報を含めて記憶する
ことを特徴とする請求項１乃至６のいずれか１つに記載の画像処理装置。
【発明の詳細な説明】
【技術分野】
【０００１】
本発明は、自動原稿搬送装置を有する画像処理装置に係わり、特に、自動原稿搬送装置で複数枚の原稿が同時に搬送される重送に対応するための技術に関する。
【背景技術】
【０００２】
原稿から読み取った画像の送信や印刷などをする画像処理装置には、載置トレイに載置された原稿束から原稿を１枚ずつ繰り出して画像の読取位置に搬送する自動原稿搬送装置が搭載されているものが多い。このような画像処理装置ではユーザ自身がいちいち原稿を読取位置にセットする必要がないので、その場にいなくても自動的に原稿束の読み取りを完了させることができる。
【０００３】
しかし、載置トレイ上に積み重ねられた原稿を自動原稿搬送装置が繰り出す際に、原稿間に働く摩擦力によって複数枚の原稿が重なって搬送される重送が発生することがある。重送が発生すると、読取面に接している原稿の画像しか読み取ることができず、一緒に重送された他の原稿の画像が欠けてしまう。
【０００４】
さらに、重送が発生しても載置トレイ上の原稿がなくなるまでそのまま原稿の搬送を継続してしまうと、ユーザは読み取った画像が不完全であることに気付かなかったり、これに気付いてもどの原稿の画像が欠けているのかをいちいち確認する作業の負担が大きかったりした。
【０００５】
そこで、原稿を透過する透過光の光量や、原稿が自動原稿搬送装置の搬送ベルトを押す圧力を測定して重送の発生を検知し、どの原稿で重送が発生したのかを特定できるように重送の発生を検知した時点で原稿の搬送を停止し、ユーザにその旨を通知する技術が提案されている（たとえば、特許文献１参照。）。
【０００６】
【特許文献１】特開平７−３１５６３４号公報
【発明の開示】
【発明が解決しようとする課題】
【０００７】
透過光の光量や搬送ベルトを押す圧力を測定して重送の発生を検知する方法では、単に重送の発生を検知するだけなので、重送がどのページで発生したかをユーザに認識させるためには、重送の発生時点で原稿の搬送を停止せざるを得ない。
【０００８】
しかし、重送の発生時点で原稿の搬送を停止させると、該ジョブを依頼したユーザがその場から離れていたり重送の通知を受け取れない状況にあったりする場合には、自動原稿搬送装置が停止したまま放置されて他のユーザに迷惑をかけてしまうという問題が生じていた。
【０００９】
また、透過光の光量や搬送ベルトを押す圧力を測定して重送を検知する手法では、原稿の紙質などが変化すると誤検知のおそれがある。
【００１０】
本発明は、上記の問題を解決しようとするものであり、重送の有無を検知することができる画像処理装置を提供することを目的としている。また、重送があった原稿（ページ位置）を特定することができる画像処理装置を提供することを目的としている。さらに、重送の発生検知後にそのまま原稿の読取動作を継続しても、重送の発生箇所を後に特定することのできる画像処理装置を提供することを目的としている。
【課題を解決するための手段】
【００１１】
以上の目的は以下のいずれかの構成によって達成される。
【００１２】
（１）所定の読取位置で原稿の画像を読み取り、画像データを得る読取手段と、
複数枚の原稿からなる原稿束から該原稿を１枚ずつ繰り出して前記読取位置へ搬送するように構成された自動原稿搬送装置と、
前記自動原稿搬送装置が搬送中の原稿に付されている情報記憶媒体を検知する検知手段と、
前記検知手段の検知結果に基づいて、複数の原稿が重なって搬送される重送の有無を判定する判定手段と、
前記判定手段によって重送と判定された原稿の情報記憶媒体に、該原稿が重送となった旨を示す重送情報と、該原稿を含む原稿束に対するジョブのジョブ情報を書き込む書込手段と、
前記自動原稿搬送装置が搬送中の原稿に付されている情報記憶媒体に書き込まれている重送情報およびジョブ情報を読み出す読出手段と、
を有し、
前記判定手段によって重送と判定された原稿を含む原稿束については重送が検知された後も原稿の読取動作を継続させると共に、前記判定手段により重送と判定されなかった原稿に対応する画像データをそのジョブ情報と関連つけて保存する一方で、前記保存された画像データに対するジョブの実行を保留し、
その後、前記読出手段によって前記重送情報の読み出された原稿から画像データを得ると共に、該画像データと、該画像データに係る保留されているジョブの保存されている画像データとに対して、そのジョブ情報に基づいてジョブを実行する
ことを特徴とする画像処理装置。
【００１３】
本発明では、原稿を１枚ずつ読取位置へ搬送するように構成された自動原稿搬送装置が、原稿を搬送中にその原稿に付された情報記憶媒体を検知して、複数枚の原稿が重なって搬送される重送の有無を判定する。たとえば、１枚の原稿が検知領域を通過する際にＮ個の情報記憶媒体が検知される予定に対してＮ個以上の情報記憶媒体が検知されることで重送が発生したと判定される。また、情報記憶媒体にページ番号など各原稿を個別に特定可能な情報が記憶されている場合には、その情報を読み出した結果に基づいて重送の有無を判定してもよい。
【００１４】
情報記憶媒体は、検知手段によってその存在を検知され、かつ複数が検知領域内に同時に存在する場合にはそれらを個別に識別できるように検知される必要がある。たとえば、情報記憶媒体に固有の識別情報が記憶してあれば検知手段は該情報から個々の情報記憶媒体を認識することができる。また、情報記憶媒体にページ番号など各原稿を個別に特定可能な情報が記憶されている場合には、該情報に基づいて各原稿を個別に認識できる。
【００１５】
なお、原稿毎に情報記憶媒体が付されている個数や位置が異なる場合などは、これらの情報を予め情報記憶媒体に記憶しておき、該情報を検知手段で読み出して重送の判定に利用するとよい。
【００１６】
さらに上記発明では、重送が発生した原稿に重送情報を書き込むと共に、該重送の発生後も原稿の読取動作を最後まで継続して完了させ、正常な原稿の画像を保存して該ジョブを一旦終了させてその実行を保留する。その後、セットされた原稿束の中から以前の画像読取時に重送が発生していた原稿を重送情報に基づいて自動的に峻別してそれらを読み取り直し、これら読み取り直した原稿の画像を保留中のジョブに補充し、原稿の情報記憶媒体から読み出したジョブ情報に基づいて該ジョブを実行する。
【００１７】
重送の発生後も原稿の読取動作を最後まで継続してジョブを一旦終了させるので、重送が発生しても画像処理装置を他のユーザに開放することができる。また、重送の発生した不完全な状態のままではジョブを実行せずに保留しておき、重送のあった原稿の画像が後に補充されてからジョブを実行するので、原稿画像の印刷や送信などの出力処理が１回にまとめて実行される。
【００１８】
さらに、原稿束の中から以前の画像読取時に重送が発生していた原稿を自動的に峻別してそれらを読み取り直すので、どの原稿が重送されたのかを確認する作業をユーザ自身が行なわずに済む。また、重送発生時と同じ内容のジョブを再度の設定操作なしに実行することができ、利便性が向上する。
【００１９】
（２）所定の読取位置で原稿の画像を読み取り、画像データを得る読取手段と、
複数枚の原稿からなる原稿束から該原稿を１枚ずつ繰り出して前記読取位置へ搬送するように構成された自動原稿搬送装置と、
前記自動原稿搬送装置が搬送中の原稿に付されている情報記憶媒体を検知する検知手段と、
前記検知手段によって検知された情報記憶媒体に書き込まれている固有の識別情報を読み出す読出手段と、
前記検知手段の検知結果に基づいて、複数の原稿が重なって搬送される重送の有無を判定する判定手段と、
記憶手段と、
を有し、
前記判定手段によって重送と判定された原稿を含む原稿束については重送が検知された後も原稿の読取動作を継続させると共に、重送と判定された原稿の情報記憶媒体から前記読出手段によって読み出された識別情報と、ジョブ情報と、重送と判定されなかった原稿に対応する画像データとを対応付けて保存する一方で、前記保存された画像データに対するジョブの実行を保留し、
その後、前記読出手段によって読み出された識別情報と前記記憶手段に記憶されている識別情報とを照合し、一致する場合はその原稿から画像データを得ると共に、該画像データと、前記一致した識別情報に対応付けて保存されている画像データとに対して、前記一致した識別情報に対応付けて保存されているジョブ情報に基づいてジョブを実行する
ことを特徴とする画像処理装置。
【００２０】
上記発明では、重送が発生した原稿については、その原稿の情報記憶媒体から読み出した識別情報やジョブ情報を画像処理装置側に記憶すると共に、該重送の発生後も原稿の読取動作を最後まで継続して完了させ、正常な原稿の画像を保存して該ジョブを一旦終了させてその実行を保留する。その後、セットされた原稿束の中から以前の画像読取時に重送が発生していた原稿を、その原稿の情報記憶媒体から読み出した識別情報と画像処理装置側に記憶してある識別情報との照合に基づいて自動的に峻別してそれらの原稿を読み取り直し、これら読み取り直した原稿の画像を保留中のジョブに補充して該ジョブを実行する。
【００２１】
重送の発生後も原稿の読取動作を最後まで継続してジョブを一旦終了させるので、重送が発生しても画像処理装置を他のユーザに開放することができる。また、重送の発生した不完全な状態のままではジョブを実行せずに保留しておき、重送のあった原稿の画像が後に補充されてからジョブを実行するので、原稿画像の印刷や送信などの出力処理が１回にまとめて実行される。
【００２２】
さらに、原稿束の中から以前の画像読取時に重送が発生していた原稿を自動的に峻別してそれらを読み取り直すので、どの原稿が重送されたのかを確認する作業をユーザ自身が行なわずに済む。また、重送発生時と同じ内容のジョブを再度の設定操作なしに実行することができ、利便性が向上する。
【００２３】
（３）所定の読取位置で原稿の画像を読み取り、画像データを得る読取手段と、
複数枚の原稿からなる原稿束から該原稿を１枚ずつ繰り出して前記読取位置へ搬送するように構成された自動原稿搬送装置と、
前記自動原稿搬送装置が搬送中の原稿に付されている情報記憶媒体を検知する検知手段と、
前記検知手段によって検知された情報記憶媒体に書き込まれている固有の識別情報を読み出す読出手段と、
前記検知手段の検知結果に基づいて、複数の原稿が重なって搬送される重送の有無を判定する判定手段と、
前記判定手段によって重送と判定された原稿の情報記憶媒体から前記読出手段によって読み出された識別情報と前記原稿を含む原稿束に対するジョブのジョブ情報とを対応付けて記憶する記憶手段と、
を有し、
前記読出手段によって読み出された識別情報と前記記憶手段に記憶されている識別情報とを照合し、一致する場合はその原稿から画像データを得ると共に、該画像データに対して、前記一致した識別情報に対応付けて保存されているジョブ情報に基づいてジョブを実行する
ことを特徴とする画像処理装置。
【００２４】
上記発明では、重送のあった原稿の情報記憶媒体から読み出した識別情報とジョブ情報とを画像処理装置に記憶しておき、搬送中の原稿の情報記憶媒体から読み出した識別情報と画像処理装置に記憶してある識別情報とを照合することで、搬送中の原稿が以前に重送された原稿か否かを判定する。そして、以前に重送された原稿であった場合は、その原稿の画像を読み取ると共に、その原稿の情報記憶媒体から読み出した識別情報と同じ識別情報に関連付けて画像処理装置に記憶してあるジョブ情報に基づいて該原稿の画像に対するジョブを実行する。
【００２５】
原稿束の中から以前の画像読取時に重送が発生していた原稿を自動的に峻別してそれらを読み取り直し、以前の重送発生時に該原稿に対して実行されなかったジョブを自動的に実行する。これにより、どの原稿で以前に重送が発生していたのかの確認作業をユーザ自身で行なわずに済む。また、原稿束すべてについてジョブをやり直すのではなく、以前に重送のあった原稿に対してのみジョブを実行できるので、処理時間の短縮や印刷出力を伴うジョブでは紙やトナーの省資源に役立つ。
【００２６】
（４）前記情報記憶媒体には前記原稿束の中でのページ位置を示すページ番号情報が記憶されており、
過去に重送された原稿を読み取って得た画像データを、該原稿に付与された前記情報記憶媒体から読み出したページ番号情報に基づくページ位置に補充する
ことを特徴とする（１）または（２）に記載の画像処理装置。
【００２７】
上記発明では、後から読み取った画像を情報記憶媒体に付されているページ番号に基づくページ位置に補充する。重送が発生せず正常に原稿束全体の読取動作が完了した場合とページの並び順を含めて同じ状態でジョブが実行され、ページ順序を並べ直す手間がない。
【００２８】
（５）前記判定手段は、任意の原稿につき、該原稿に付されている情報記憶媒体が検知される予定の期間における前記検知手段の検知結果に基づいて重送の有無を判定する
ことを特徴とする（１）乃至（４）のいずれか１つに記載の画像処理装置。
【００２９】
上記発明では、原稿１枚分の情報記憶媒体が検知される予定の期間に検知手段が情報記憶媒体を検知した結果に基づいて重送の有無を判定する。たとえば、原稿のサイズや向きがわかっていれば、原稿の繰り出し開始を検知した時点などを基準にして原稿長と搬送速度とからその原稿に付された情報記憶媒体が検知手段によって検知される予定の期間を認識できる。このような予定の期間内に原稿２枚分以上の情報記憶媒体が検知された場合に重送が発生していると判定する。
【００３０】
情報記憶媒体が検知される予定の期間は、原稿サイズに応じて絶対的に定まる。これにより、原稿束に含まれる原稿のサイズや各原稿に付された情報記憶媒体の位置がばらばらでも、正しく重送の有無を判定することができる。たとえば、搬送中の原稿の先端を検知した時点などを基準に、予め記憶している上記の予定期間や原稿の後端を検知するまでの期間に情報記憶媒体を検知した結果に応じて重送の有無を判定するように構成する場合などである。
【００３１】
（６）前記判定手段は、前記検知手段が第１の原稿に付されている第１の情報記憶媒体を検知してから第２の原稿に付されている第２の情報記憶媒体を検知するまでの時間差に基づいて重送の有無を判定する
ことを特徴とする（１）乃至（４）のいずれか１つに記載の画像処理装置。
【００３２】
上記発明では、１つの情報記憶媒体を検知してから次の情報記憶媒体を検知するまでの時間差に基づいて重送の有無を判定する。すなわち、情報記憶媒体が各原稿内の特定位置（たとえば、原稿の先端近傍）に付されている場合には、順調に１枚ずつ搬送されれば、一定の時間差で情報記憶媒体が検知され、重送があれば先の一定の時間差より短い時間差で情報記憶媒体が検知される。そこで、上記時間差の大小や時間差の変化から重送の有無を判定することができる。
【００３３】
情報記憶媒体を検知する時間差を基準に重送の有無を判定するので、原稿の繰り出しタイミングや絶対的な位置を検知するセンサなどを必要とせず、簡単な構成で重送の有無を判定できる。
【００３４】
（７）ジョブが、読み取った原稿の画像データを指定の相手先に送信する送信ジョブの場合は、前記ジョブ情報として前記相手先を表わす相手先情報を含めて記憶する
ことを特徴とする（１）乃至（６）のいずれか１つに記載の画像処理装置。
【００３５】
上記発明では、重送発生時のジョブが、読み取った画像を送信する送信ジョブであった場合に、ジョブ情報として画像を送信する相手先の電話番号やメールアドレスなどの相手先情報を含めて記憶する。相手先情報は、実際の電話番号やメールアドレスを検索できれば、相手先名などでもよい。
【発明の効果】
【００３６】
本発明に係わる画像処理装置によれば、原稿に付された情報記憶媒体を検知することで重送の有無を判定するので、精度よく重送の有無を判定できる。また、情報記憶媒体を利用すれば、重送の発生した原稿を後から特定することができる。その結果、重送発生時点で原稿の搬送を停止させて重送発生時の状態を保留しなくても済み、そのまま原稿の読取動作を最後まで継続させて、他のユーザに画像処理装置の利用を開放することも可能になる。
【００３７】
また、原稿束の中から以前の画像読取時に重送が発生していた原稿を自動的に峻別してそれらを読み取り直すので、どの原稿が重送されたのかを確認する作業をユーザ自身が行なわずに済む。また、重送発生時と同じ内容のジョブを再度の設定操作なしに実行することができ、利便性が向上する
【発明を実施するための最良の形態】
【００３８】
以下、図面に基づき本発明の実施の形態を説明する。
【００３９】
本発明の実施の形態に係わる画像処理装置は、原稿画像を読み取って各種の画像処理を施す機能を備えた複合機と称される装置である。画像処理装置は、原稿を読み取り位置へ自動搬送する自動原稿搬送装置を備えており、この自動原稿搬送装置で複数枚の原稿が重なって搬送される重送の有無の判定し、その発生箇所（ページ位置）を特定してリカバリする機能を有している。
【００４０】
図１は、本発明の実施の形態に係わる自動原稿搬送装置２０の構成を示している。
【００４１】
図１（ａ）は、画像処理装置１０の外観の模式図を示している。図中斜線で塗りつぶした自動原稿搬送装置２０は、画像処理装置１０の本体１０ａの上面をなす原稿読取面を覆うようにして取り付けられている。
【００４２】
図１（ｂ）は、自動原稿搬送装置２０と原稿を読み取る画像読取部３０との概略構成を説明するための断面図を示している。
【００４３】
自動原稿搬送装置２０は、載置トレイ２１に積載された複数枚の原稿束の最上部から原稿１を１枚ずつ順に繰り出す給紙ローラ２２と、原稿の読取位置となるコンタクトガラス３１上に原稿１を密着させながら通過させるための密着ローラ２３と、給紙ローラ２２によって送り込まれた原稿１を密着ローラ２３に沿って案内する案内ローラ２４とを備えている。さらに、コンタクトガラス３１を通過した原稿１の進行方向を切り替える切替爪２５と、両面原稿の表裏を反転させるための反転ローラ２６と、読み取りの完了した原稿１が排出される排紙トレイ２７とを備えている。
【００４４】
搬送される原稿１が両面原稿の場合は、密着ローラ２３に送られてコンタクトガラス３１上を通過した後、一対の反転ローラ２６の間を通るように切替爪２５によって案内される。原稿１の後端部分が反転ローラ２６に到達する直前に反転ローラ２６の回転方向が反転し、かつ切替爪２５が変位して、今度は密着ローラ２３の上側に向けて原稿１が送り出される。これにより原稿１の表裏が反転する。
【００４５】
密着ローラ２３に送られてコンタクトガラス３１上を再び通過した原稿１は再度反転された後、切替爪２５によって排紙トレイ２７に向けて案内されて排出される。原稿１が片面原稿の場合には、載置トレイ２１から繰り出された原稿１は密着ローラ２３に沿ってコンタクトガラス３１上を通過した後、そのまま排紙トレイ２７に向けて案内され、排出される。
【００４６】
画像読取部３０は、自動原稿搬送装置２０によって送り込まれた原稿１の読取位置となるスリット状のコンタクトガラス３１と、ユーザの手で載置された原稿１の読取位置となるプラテンガラス３２とを上面に備えている。コンタクトガラス３１およびプラテンガラス３２の下方には、光源３３とミラー３４とからなる露光走査部３５が設けてある。露光走査部３５は、図示省略の駆動手段によりプラテンガラス３２の下面に沿って移動可能に構成されている。光源３３は、コンタクトガラス３１やプラテンガラス３２を通じて原稿１を照射し、ミラー３４は原稿１からの反射光を受け、その進路をプラテンガラス３２と略平行にする機能を果たす。
【００４７】
さらに、画像読取部３０は、原稿１からの反射光を受光し、その光強度に応じたアナログ画像信号を出力するラインイメージセンサ３６と、原稿１からの反射光をラインイメージセンサ３６へ集光する集光レンズ３７と、露光走査部３５のミラー３４からの反射光をラインイメージセンサ３６へ導くための光学経路を形成する各種のミラー３８とを備えている。ラインイメージセンサ３６は、原稿１を主走査方向に走査する機能を有し、たとえば、多数のＣＣＤ（Charge Coupled Device）素子で構成される。
【００４８】
自動原稿搬送装置２０を用いた場合には、流し読み方式で原稿が読み取られる。流し読み方式では、露光走査部３５をコンタクトガラス３１の真下で停止させた状態で、コンタクトガラス３１の上を通過するように原稿１を移動させることで副走査方向の相対移動を行なって原稿１の画像を読み取るようになっている。自動原稿搬送装置２０の載置トレイ２１に原稿面を上向きにしてセットされた原稿１は、その先端（図１（ｂ）に向かって左端）から給紙ローラ２２に引き込まれた後、密着ローラ２３に沿って反転給紙されてコンタクトガラス３１上の読取位置を通過する。
【００４９】
このように、画像読取部３０は、自動原稿搬送装置２０を用いた場合にはコンタクトガラス３１が原稿１の読取位置となる。また、ユーザの手で原稿１が載置された場合はプラテンガラス３２が読取位置となる。したがって、自動原稿搬送装置２０により複数枚の原稿１が重なって搬送される重送の有無を判定する本実施の形態における読取位置には、コンタクトガラス３１が該当する。
【００５０】
さらに自動原稿搬送装置２０には、アンテナ５０と、原稿センサ５１とが設置されている。
【００５１】
アンテナ５０は、原稿１に付された情報記憶媒体としてのＲＦＩＤ（Radio Frequency IDentification）タグと無線通信を行なう機能を果たす。
【００５２】
ここで、ＲＦＩＤとは、微小な無線チップ（ＲＦＩＤタグ）を利用してモノを識別・管理する仕組みである。具体的には、情報を記憶可能なＲＦＩＤタグが識別・管理の対象となるモノに予め付されている。このＲＦＩＤタグとアンテナ５０との間で無線通信により読み書きされる情報に基づいて、ＲＦＩＤタグの付されたモノが識別・管理される。本実施の形態では、各原稿１に付されているＲＦＩＤタグを利用して、画像の読み取り対象となる原稿１が管理される。
【００５３】
アンテナ５０は、自動原稿搬送装置２０内の原稿１が１枚ずつ搬送される搬送経路中の所定位置に設置されている。アンテナ５０の通信領域は、載置トレイ２１や排紙トレイ２７にある原稿１のＲＦＩＤタグを検知せずに、搬送中の原稿１に付されたＲＦＩＤタグのみを検知するように設定されている。
【００５４】
原稿センサ５１は、搬送されている原稿１の先端と後端とが自動原稿搬送装置２０内の所定の位置を通過したことを検知する機能を果たす。原稿センサ５１は、たとえば、自動原稿搬送装置２０内の原稿１が搬送される搬送面上に、搬送方向に対して斜め前方に飛び出した押し下げ可能なレバーと、このレバーが搬送面下に没入した位置でオンとなる図示省略のスイッチとから構成されている。
【００５５】
自動原稿搬送装置２０で搬送中の原稿１の先端が原稿センサ５１のレバーに到達すると、原稿１の押圧でレバーが徐々に押し下げられ、搬送面下に没入してスイッチがオンとなる。これにより、搬送中の原稿１の先端が原稿センサ５１の位置を通過したことが検知される。
【００５６】
そのまま原稿１が搬送されて、原稿１の後端が原稿センサ５１のレバーを通過すると、レバーは原稿１の押圧から開放されて元の状態に戻り、スイッチがオフとなる。これにより搬送中の原稿１の後端が原稿センサ５１の位置を通過したことが検知される。
【００５７】
次に、画像処理装置１０が有する機能について説明する。
【００５８】
本実施の形態に係わる画像処理装置１０は、公衆回線を介して画像データを送受信するファクシミリ機能、原稿を読み取ってその複製画像を記録紙上に形成する複写機能、読み取った画像データを外部へ出力するスキャナ機能、受信した印刷データに基づいて印刷するプリンタ機能など複数種類の画像処理機能を備えた複合機として構成されている。
【００５９】
画像処理装置１０では、作業単位としてのジョブ毎に、ファクシミリ機能による送信ジョブや受信ジョブ、複写機能による複写ジョブ、スキャナ機能によるスキャンジョブやプリンタ機能によるプリントジョブなどが実行される。たとえば、送信ジョブにおいて「自動原稿搬送装置を用いて原稿束を自動的に読み取り、この画像データをユーザから受け付けた電話番号が示す相手先に公衆回線を介して送信する」という作業が指示された場合に、これらの一連の作業が１つのジョブとして扱われる。
【００６０】
各ジョブは、送信部数や印刷部数、解像度、拡大縮小などの各種設定項目により動作条件が規定されている。これらの動作条件は、その標準的な値がデフォルトのジョブ情報として予め登録されている。ユーザは、ジョブ投入時に電話番号などの必要な情報を入力したり、デフォルトのジョブ情報を適宜変更したりすることにより自己の希望に合った動作条件でジョブを実行させることができる。
【００６１】
図２は、本発明の第１の実施の形態に係わる画像処理装置１０の電気的構成を示している。
【００６２】
画像処理装置１０は、その動作を統括制御する制御部としてのＣＰＵ（中央演算処理装置）１１と、ＲＯＭ（リード・オンリ・メモリ）１２とＲＡＭ（ランダム・アクセス・メモリ）１３とを主要部とした回路で構成されている。
【００６３】
ＲＯＭ１２は、ＣＰＵ１１が実行するプログラムや各種固定データを記憶している。ＲＡＭ１３は、ＣＰＵ１１がプログラムを実行する際に各種データを一時的に格納するワークメモリや、回転処理などを施すために、画像データを少なくとも１ページ分格納するページメモリとして機能する。
【００６４】
さらに、ＣＰＵ１１には、ＬＣＤ（Liquid Crystal Display）４０と、入力部４１と、画像読取部３０と、画像処理部４２と、プリンタ部４３と、通信部４４と、自動原稿搬送装置２０と、無線制御部５２と、原稿センサ５１と、不揮発メモリ５５とが接続されている。
【００６５】
ＬＣＤ４０は、ユーザに各種の案内表示や状態表示を行なう機能を果たす液晶ディスプレイである。
【００６６】
入力部４１は、各種の操作スイッチとＬＣＤ４０の表面を覆うタッチパネルとで構成され、ユーザから各種の操作を受け付ける機能を果たす。
【００６７】
画像読取部３０のラインイメージセンサ３６から出力されたアナログ画像信号はＡ／Ｄ（アナログ／デジタル）変換され、デジタルの画像データとしてＣＰＵ１１に取り込まれている。
【００６８】
画像処理部４２は、画像データを拡大縮小する機能や、画像を回転させる機能などを果たす。
【００６９】
プリンタ部４３は、画像データに対応する画像を電子写真プロセスによって記録紙上に形成して印刷出力する機能を果たす。プリンタ部４３は、記録紙の搬送装置と、感光体ドラムと、帯電装置と、レーザーユニットと、現像装置と、転写分離装置と、クリーニング装置と、定着装置とを有するいわゆるレーザープリンタとして構成されている。
【００７０】
通信部４４は、ファクシミリ機能による画像データの送受信や、ＰＣ（Personal Computer）との間で各種データの送受信をするための機能を有している。ファクシミリ機能により画像データを送受信する場合は、公衆回線を介して各種制御信号と画像データとを相手先端末との間でやり取りする機能を果たす。これらのデータ通信は、ＩＴＵ−Ｔ（International Telecommunication Union Telecommunication standardization sector：国際電気通信連合電気通信標準化セクタ）が勧告Ｔ.３０で通信規格を定めたＧ３（Group3）ファクシミリの伝送制御手順に基づいて実行される。ＰＣとの間で各種データの送受信をする場合は、ネットワークを介して電子メール機能などによりデータ通信を行なう機能を果たす。
【００７１】
自動原稿搬送装置２０による原稿１の搬送は、ＣＰＵ１１からの指示に基づいて実行される。
【００７２】
無線制御部５２には、図１に示したアンテナ５０が接続されている。無線制御部５２は、このアンテナ５０を介して原稿１に付されているＲＦＩＤタグと情報を送受信したり、ＲＦＩＤタグに非接触電力伝送による電力供給をしたりするための制御を行なう機能を果たす。
【００７３】
ＲＦＩＤタグと情報の送受信を行なう場合には、無線制御部５２は検知読出手段５３としての機能と、書込手段５４としての機能とを果たす。検知読出手段５３は、自動原稿搬送装置２０で搬送中の原稿１にＲＦＩＤタグが付されているか否かを検知する検知手段としての機能と、ＲＦＩＤタグに記憶されている情報を読み出す読出手段としての機能とを果たす。また、書込手段５４は、ＣＰＵ１１から情報を取得し、搬送中の原稿１に付されたＲＦＩＤタグに該情報を書き込む機能を果たす。
【００７４】
原稿センサ５１が原稿１の先端や後端を検知したことを示す信号はＣＰＵ１１に入力されている。
【００７５】
不揮発メモリ５５は、電源をオフにしても記憶内容が保持される書き替え可能なメモリである。不揮発メモリ５５は、半導体メモリやＨＤＤ（Hard Disc Drive）などにより構成される。不揮発メモリ５５は、画像データや各ジョブに関するジョブ情報などを記憶する機能を果たす。
【００７６】
ＣＰＵ１１は、さらに、判定手段５６と、切替設定手段５７と、再処理手段５８と、警告手段５９としての機能を有している。
【００７７】
判定手段５６は、自動原稿搬送装置２０で複数枚の原稿１が重なって搬送される重送の有無を判定する機能と、重送をリカバリするための情報を書込手段５４に提供する機能とを果たす。重送の有無は、検知読出手段５３が原稿１に付されたＲＦＩＤタグを検知した結果に基づいて判定するようになっている。
【００７８】
重送をリカバリするための情報には、重送された原稿であることを示す重送情報と該原稿に対して行なわれていたジョブの内容を示すジョブ情報とがある。
【００７９】
重送された原稿１に対するジョブは、多種類のジョブ情報によりその内容が規定されている。これらのうち判定手段５６から提供されるジョブ情報は、種別情報と相手先情報とである。種別情報は、ジョブの種別を示す情報である。相手先情報は、送信ジョブにおいて相手先ファクシミリ装置の電話番号を表す情報である。
【００８０】
判定手段５６から提供されるジョブ情報は、実行中のジョブが複写ジョブやスキャンジョブ、プリントジョブの場合は、種別情報のみから構成される。送信ジョブの場合は、種別情報と相手先情報とから構成される。
【００８１】
なお、送信ジョブの種類は、例示したファクシミリ機能による場合に限定されない。たとえば、ＩＰ（Internet Protocol）ファクシミリ機能やインターネットファクシミリ機能、スキャン・トゥ・Ｅメール機能などによりネットワークを介して画像データを送信してもよい。この場合は、それぞれの機能に応じてＩＰ電話番号やメールアドレスなどが相手先情報となる。また、相手先名などを相手先情報としてもよい。相手先名に対応付けて電話番号などを記憶させておけば、これらの情報に基づいて送信ジョブを実行することができる。
【００８２】
切替設定手段５７は、ジョブの実行中に重送があったと判定された場合に、その後該ジョブに対してどのような動作を行なうかについてのモード切替をする機能を果たす。モード切替は、ＬＣＤ４０に表示される図示省略のタッチパネルを介して、ユーザからの指示に基づいて行なわれる。
【００８３】
切替可能なモードには、保留モードと強制実行モードとがある。保留モードは、重送が発生したと判定された場合に、重送と判定されなかった他の原稿１の画像読取は継続し、読み取った画像データを不揮発メモリ５５に保存してから実行中のジョブを一旦終了させ、該ジョブに係わる残りの処理の実行を保留にするモードである。
【００８４】
強制実行モードは、重送が発生したと判定された場合に、重送と判定されなかった他の原稿１についての画像読取は継続し、そのとき読み取った画像だけで実行中のジョブを継続して完了させるモードである。
【００８５】
再処理手段５８は、以前に重送された原稿１を再読み取りする際の動作（以下、再処理動作という。）に係わる制御を行なう機能を果たす。再処理動作には、原稿束の中から以前に重送された原稿１を峻別してその画像を読み取る動作（以下、再読取動作という。）と、読み取った画像を用いてジョブを実行する動作（以下、再実行動作という。）とが含まれる。
【００８６】
詳細には再読取動作は、載置トレイ２１に再載置された原稿束を１枚ずつ搬送する動作と、搬送中の原稿１に付されているＲＦＩＤタグ内の情報を読み出す動作と、重送情報が読み出された原稿１から画像を読み取る動作とから構成される。重送情報が保存されていない原稿は搬送されるのみで、画像の読み取りを行なう必要はない。
【００８７】
再実行動作は、重送発生時に設定されていたモードに応じてその内容が異なる。保留モードの場合には、再読取動作で読み取った画像を、保留中のジョブの画像として補充する動作と、保留中のジョブの残りの処理を実行する動作とから構成される。画像の補充は、不揮発メモリ５５に保存されている画像データが属するジョブと同一のジョブに、再読取動作で読み取った画像データを関係付けることにより行なわれる。
【００８８】
強制実行モードの場合には、重送されなかった原稿１については、画像を読み取ってそのままジョブが完了している。そこで、再実行動作は、その完了したジョブにおいて重送されずに読み取られた原稿１の画像に対して実行された処理と同一の処理を、重送された原稿、すなわち再読取動作で読み取った画像に対して実行するという動作で構成される。
【００８９】
警告手段５９は、ジョブの実行中に重送があったと判定された場合に、その旨の警告を発する機能を果たす。警告は、画像処理装置１０のＬＣＤ４０への警告表示や、通信部４４の電子メール機能を利用した所定端末への警告メッセージの送信などにより行なわれる。電子メール機能による場合は、予め登録された電子メールアドレスを使ってユーザ認証時などに特定されたユーザに対して警告が送信される。警告は、このほか音声やＬＥＤ（Light Emitting Diode）ランプの点灯などによって行なってもよく所定の手法に限定されない。
【００９０】
図３は、原稿１にＲＦＩＤタグ２が付されている位置の代表的な例を示している。ＲＦＩＤタグ２は、外部から電磁的に電力の供給を受けて動作するＩＣ（Integrated Circuit）チップとアンテナとを内蔵しており、無線制御部５２と通信して非接触で情報の読み書きができる。また、衝突回避技術を利用して同じ通信領域内の複数のＲＦＩＤタグ２に対して、それぞれ独立に情報を読み書きできる。
【００９１】
本実施の形態では、各原稿１のＲＦＩＤタグ２は図中斜線で塗りつぶした右上部分の位置に１つずつ付されている。このほか、図中破線で例示したＲＦＩＤタグ２ａ〜２ｄの位置でもかまわないし、そのほかの位置でもよい。
【００９２】
図４は、ＲＦＩＤタグ２に記憶される情報の内容を示している。
【００９３】
図４（ａ）は、ＲＦＩＤタグ２に記憶されるＲＦＩＤデータ６０のデータ構造の一例を示している。ＲＦＩＤデータ６０は、ページ番号領域６１と、重送情報領域６２と、ジョブ情報領域６３と、予備領域６４とから構成される。
【００９４】
ページ番号領域６１は、所定の原稿束における各原稿１のページ番号が予め記憶されている領域である。ページ番号は１６進法で記憶されている。
【００９５】
ページ番号は、再処理動作で読み取った画像を、重送により保留中のジョブ（保留モード）の正しいページ位置へ補充するのに利用される。ここでは、各原稿１の画像読取時に読み出されたページ番号は、対応する原稿１の画像データと関連付けて不揮発メモリ５５に保存される。
【００９６】
なお、原稿束によっては、ページ番号が記憶されていないＲＦＩＤタグ２や、ページ番号領域６１自体を有さないＲＦＩＤタグ２があってもよい。この場合は、再処理動作で読み取った画像は、たとえば、保留中のジョブの画像の最終ページに続けて補充される。
【００９７】
重送情報領域６２は、重送情報が書き込まれる領域である。「００」は重送情報が書き込まれていない状態を表し、「ＦＦ」は重送情報が書き込まれた状態を表している。
【００９８】
ジョブ情報領域６３は、ジョブ情報（種別情報と相手先情報）が書き込まれる領域である。種別情報は、コード化して表してあり、「４３」が複写ジョブを表し（アスキーコードで「Copy Job」の頭文字「Ｃ」に相当）、「５３」がスキャンジョブを表し（同じく「Scan Job」の「Ｓ」）、「５０」がプリントジョブを表し（同じく「Print Job」の「Ｐ」）、「５４」が送信ジョブを表している（同じく「Transmission Job」の「Ｔ」）。
【００９９】
相手先情報は、相手先ファクシミリ装置の電話番号の各桁の数字をアスキーコードで表している。
【０１００】
ジョブ情報領域６３には、ジョブ情報が種別情報、相手先情報の順番で記憶され、末尾に「０ｄ０ａ」の改行コード（アスキーコードで改行を意味する「ＣＲ  ＬＦ」に相当）が付されるようになっている。
【０１０１】
予備領域６４は、通常はデータの読み書きが行なわれない予備の記憶領域であり、上記以外の新たな情報の書き込みに利用できる。
【０１０２】
図４（ｂ）は、重送されなかった原稿１に付されているＲＦＩＤタグ２に記憶されているＲＦＩＤデータ６０ａの一例を示している。ページ番号領域６１の「０Ａ」は、ページ番号の「１０ページ目」を表し、重送情報領域６２の「００」は、重送情報が書き込まれていないことを表している。また、ジョブ情報領域６３にジョブ情報は記憶されていない。
【０１０３】
図４（ｃ）は、重送された原稿１に付されているＲＦＩＤタグ２に記憶されているＲＦＩＤデータ６０ｂの一例を示している。ページ番号領域６１の「０Ｄ」は、ページ番号の「１３ページ目」を表し、重送情報領域６２の「ＦＦ」は、重送情報が書き込まれていることを表している。また、ジョブ情報領域６３の行頭２桁の「５４」は、「送信ジョブ」を表し、これに続く改行コードまでの数字は、外線発信番号「０」を加えた相手先ファクシミリ装置の電話番号「０４６（２６０）９２９１」を表している。
【０１０４】
次に、判定手段５６が、原稿１に付されているＲＦＩＤタグ２の検知結果に基づいて重送を判定する２つの手法について説明する。
【０１０５】
図５は、検知読出手段５３がＲＦＩＤタグ２を検知した時間差に基づいて重送の有無を判定する第１の判定手法の原理を示している。
【０１０６】
図５（ａ）は、重送の発生していない状態で、第１原稿１Ａと第２原稿１Ｂとが自動原稿搬送装置２０で搬送される様子を模式的に示している。第１原稿１Ａには第１ＲＦＩＤタグ２Ａが付され、第２原稿１Ｂには第２ＲＦＩＤタグ２Ｂが付されている。本図では、すべての原稿が同一サイズであり、ＲＦＩＤタグが同じ位置となるように各原稿の向きが整えられており、また、原稿束は横置きで載置されている。
【０１０７】
図５（ａ）の検知領域３は、アンテナ５０でＲＦＩＤタグを検知可能な範囲を示している。検知領域３は、自動原稿搬送装置２０の搬送経路内にある。検知領域３は、たとえば、搬送方向に対して原稿を直角に横切る細長い形状になっている。検知領域３は、搬送されてくる最大サイズの原稿の全幅をカバーできるように設定されている。
【０１０８】
第１の判定手法では、第１原稿１Ａの第１ＲＦＩＤタグ２Ａが検知領域３を通過した時刻Ｔ１と、第２原稿１Ｂの第２ＲＦＩＤタグ２Ｂが検知領域３を通過した時刻Ｔ２との時間差ΔＳを基準の時間差と比較して重送の判定を行なう。重送がなければ、時間差ΔＳは、自動原稿搬送装置２０が原稿を繰り出す時間間隔とほぼ等しくなる。ここで、検知領域３の幅が充分狭ければ、ＲＦＩＤタグが検知された時刻はＲＦＩＤタグの通過時刻とみなせる。なお、検知領域３の幅が広い場合には、ＲＦＩＤタグが検知され始めた時刻と検知されなくなった時刻との中間の時刻を通過時刻とすればよい。
【０１０９】
一方、図５（ｂ）のように重送された場合は、原稿同士の重なりの分だけＲＦＩＤタグ２Ａ、２Ｂ相互間の距離が短くなるので、時間差ΔＳが原稿を繰り出す時間間隔より短くなる。
【０１１０】
上記のように、ＲＦＩＤタグが検知される時間差ΔＳは重送の有無によって変動する。重送がない場合のΔＳは原稿の繰り出し時間とほぼ等しくなる。そこで、第１の判定手法では、時間差ΔＳと対比する基準の時間差ΔＳ０を原稿の該繰り出し時間に設定している。そして、ΔＳ０＞（ΔＳ＋α）のとき重送が発生したと判定している。ここで、αは許容誤差時間である。なお、該当の時間差ΔＳに関係する両方の原稿が共に重送原稿と判定される。
【０１１１】
たとえば、基準の時間差ΔＳ０は、縦置き／横置きを含めた原稿サイズ別に、Ａ４（縦置き）が０.９１秒、Ａ４Ｒ（横置き）が１.２９秒、Ａ３が１.８３秒などと設定されている。これらの値は、ＲＯＭ１２などに予め記憶してある。判定手段５６は、ジョブの開始時などに検知された原稿サイズに応じて基準の時間差ΔＳ０を選択し、これを判定の基準に使用している。
【０１１２】
なお、３枚の原稿が重送される場合であっても、重送の判定手法は変わらない。まず、１枚目の原稿と２枚目の原稿とについて重送の有無を判定する。同様に、２枚目と３枚目とについての判定をする。それぞれで重送が発生したと判定された場合は、１〜３枚目すべてが重送された原稿となる。原稿の枚数がさらに多い場合も同様である。
【０１１３】
また、原稿のサイズとＲＦＩＤタグの位置とが統一されていれば、原稿内のどの位置にＲＦＩＤタグが付されていても、重送なしに搬送される原稿同士のＲＦＩＤタグ間の相対距離は一定となる。したがって、原稿のサイズとＲＦＩＤタグの位置とが統一される条件下では、原稿内のＲＦＩＤタグの取り付け位置にかかわらず、原稿サイズ毎に一定の基準の時間差ΔＳ０を採用することができる。
【０１１４】
また、原稿に複数のＲＦＩＤタグが付されていてもよい。この場合は、たとえば、ページ番号が同一の複数のＲＦＩＤタグの中の１つを、該ページ番号の原稿を代表する重送判定用のＲＦＩＤタグに特定すればよい。そして、原稿毎に特定したＲＦＩＤタグ相互の時間差ΔＳを基準に重送の有無を判定する。なお、重送情報の書き込みは、特定した１つのＲＦＩＤタグに対して行なってもよいし、同一ページ番号のすべてのＲＦＩＤタグに対して行なってもよい。
【０１１５】
以上のように、判定手段５６は、透過光の光量や搬送ベルトを押す圧力を基準にする従来の判定方法とは異なり、情報記憶媒体であるＲＦＩＤタグ２の検知結果に基づいて重送の有無を判定するので、精度よく重送を判定することができる。
【０１１６】
特に、第１の判定方法では、隣接するＲＦＩＤタグ２を検知する時間差を基準に重送の有無を判定する、すなわち、時間差Ｓが所定の時間より短いとき重送があったと判断するので、原稿の繰り出しタイミングや搬送中の原稿の絶対的な位置を検知するセンサなどを必要とせず、簡単な構成で重送の有無を判定できる。
【０１１７】
次に、第２の判定手法について説明する。
【０１１８】
図６は、第２の判定手法の原理を示している。第２の判定手法では、原稿センサ５１で原稿を検知した時刻を基準にして自動原稿搬送装置２０が送り出した原稿が検知領域３を通過する絶対的な期間（予定の期間）を割り出し、その期間内におけるＲＦＩＤタグ２の検知状況に基づいて重送の有無を判定するようになっている。
【０１１９】
図６（ａ）は、重送の発生していない状態で、原稿１が搬送される様子を模式的に示している。図中の横軸は時間軸４を示している。載置トレイ２１から繰り出された原稿１ａは、時刻Ｔ１に原稿センサ５１に検知される。その後、時間αの経過後の時刻Ｔ２（＝Ｔ１+α）に同原稿１ｂの先端が検知領域３に到達する。原稿が検知領域３に到達するまでの時間αは、原稿センサ５１から検知領域３までの距離と原稿の搬送速度とから絶対的に定まる。
【０１２０】
さらに、時間βの経過後の時刻Ｔ３（＝Ｔ１＋α＋β）に同原稿１ｃの後端が検知領域３を通過する。原稿が検知領域３を通過するまでの時間βは、検知領域３の幅が充分狭ければ、原稿サイズと原稿の搬送速度とから絶対的に定まる。
【０１２１】
ここで、時刻Ｔ１に原稿センサ５１で検知された原稿１のＲＦＩＤタグ２は、原稿１のどの位置に配置されていたとしても、原稿１の先端が検知領域３に到達した時刻Ｔ２から、原稿１の後端が検知領域３を通過し終える時刻Ｔ３までの期間に検知される。したがって、「時刻Ｔ２〜時刻Ｔ３」までの期間は、この原稿１の「ＲＦＩＤタグ２が検知される予定の期間」に相当する。たとえば、図６（ａ）では、該期間中に１個のＲＦＩＤタグ２が検知されている。
【０１２２】
一方、図６（ｂ）のように重送された場合は、該期間中に第１原稿１Ａと第２原稿１Ｂとについての２個のＲＦＩＤタグ２Ａ、２Ｂが検知されている。さらに、３枚以上の原稿が重送された場合には、同様に３個以上のＲＦＩＤタグが検知される。
【０１２３】
上記のように、「ＲＦＩＤタグが検知される予定の期間」中に検知されるＲＦＩＤタグの個数は、重送の有無によって変化する。そこで、第２の判定手法では、搬送中の各原稿を原稿センサ５１で検知した時刻を基準にして「ＲＦＩＤタグが検知される予定の期間（時刻Ｔ２〜時刻Ｔ３）」を割り出し、この期間中に検知されたＲＦＩＤタグの個数に基づいて重送の有無を判定する。該期間中に複数枚分（１枚の原稿に付されているＲＦＩＤタグの個数より多い個数）のＲＦＩＤタグが検知されれば、それらのＲＦＩＤタグが付されている原稿はすべて重送原稿と判定される。
【０１２４】
原稿が検知領域３に到達するまでの時間αは、ＲＯＭ１２などに予め記憶してある。同様に、原稿が検知領域３を通過する時間βも、縦置き／横置きを含めた原稿サイズ別に記憶してある。たとえば、判定手段５６は、ジョブの開始時などに検知された原稿サイズに応じて時間βを選択する。また、１枚分の原稿に付されているＲＦＩＤタグの個数も予め記憶されており、その個数と実際に各原稿から検知されたＲＦＩＤタグの個数とを対比して重送の有無を判定する。
【０１２５】
また、原稿サイズに基づいて定まる時間βを利用する代わりに、原稿センサ５１で原稿の後端を検知した時刻に一定時間αを加えた時刻をその原稿の後端が検知領域３を通過し終える時刻Ｔ３としてもよい。このほか、次の原稿の直前の位置を先の原稿の後端とみなしてもよい。このとき、自動原稿搬送装置２０が次の原稿を繰り出し始めた時刻に一定時間αを加えた時刻を、先に繰り出された原稿の後端が検知領域３を通過し終える時刻Ｔ３とすることができる。
【０１２６】
任意の原稿につき、該原稿に付されているＲＦＩＤタグが検知される予定の期間は、原稿サイズに応じて絶対的に定まるので、原稿束に含まれる原稿のサイズや各原稿に付されたＲＦＩＤタグの位置がばらばらでも、正しく重送の有無を判定することができる。
【０１２７】
また、ＲＦＩＤタグの検知結果に基づいて、重送の有無を判定する手法は、これまで説明した第１、第２の判定手法を用いる場合に限定されない。たとえば、原稿の先端と後端とに分けて配置したＲＦＩＤタグにより重送の有無を判定してもよい。詳細には、その原稿の対角線上の２つの頂点にそれぞれＲＦＩＤタグを付し、双方に各原稿の識別情報を記憶させておく。そして、１枚目の原稿の識別情報を「Ａ」、２枚目を「Ｂ」とする。重送が発生していなければ、搬送中の原稿の識別情報は「Ａ（先端）、Ａ（後端）、Ｂ（先端）、Ｂ（後端）、…」という順番で読み出される。一方、重送された場合は「Ａ（先端）、Ｂ（先端）、Ａ（後端）…」の順番で読み出される。このように、１枚の原稿の識別情報が読み出される順番は、重送の有無によって変化する。そこで、「重送が無ければ、同じ識別情報が２つずつ連続して読み出される」という規則を予め記憶しておき、この規則とは異なる順番で識別情報が読み出された場合には重送が発生したと判定してもよい。なお、対角線上の２頂点にＲＦＩＤタグを付すことによって、原稿を載置する際に上下方向が逆であっても、また、縦置き／横置きのどちらにも対応できる。
【０１２８】
図７は、画像処理装置１０を利用したシステム構成の一例を示している。該システムは、本実施の形態に係わる画像処理装置１０と、公衆回線を介して画像処理装置１０に接続されたファクシミリ装置９と、ＬＡＮ（Local Area Network）などのネットワークを介して接続されたＰＣ８とから構成される。
【０１２９】
ファクシミリ装置９は、送信ジョブに係わる画像データの受信先としての機能を果たす。ファクシミリ装置９は、ファクシミリ機能により画像データの受信ジョブを実行可能な複合機として構成してもよい。
【０１３０】
ＰＣ８は、電子メールを利用した重送が発生した旨の警告メッセージを受信する所定端末としての機能を果たす。ＰＣ８は、警告の対象となるジョブの実行を依頼したユーザのＰＣとするほか、画像処理装置１０の管理者のＰＣとしてもよい。
【０１３１】
図８は、第１の実施の形態に係わる画像処理装置１０がジョブの実行中に重送の有無を判定して、そのジョブを継続または保留する動作の流れを示している。判定手段５６は、第１の判定手法と第２の判定手法とのいずれの手法で重送の有無を判定してもかまわない。
【０１３２】
ジョブがスタートすると、画像処理装置１０は自動原稿搬送装置２０で原稿１を１枚ずつ搬送しながら画像を読み取る（ステップＳ１０１）。ＲＦＩＤタグ２にページ番号が記憶されている場合は、ここでページ番号を読み出す（ステップＳ１０１）。
【０１３３】
次に、重送が発生しているか否かを判定し（ステップＳ１０２）、重送が発生していなければ（ステップＳ１０２；Ｎ）その原稿１についての画像の読み取りを完了する（ステップＳ１０９）。
【０１３４】
そして、ＲＦＩＤタグ２からページ番号を読み出したか否かを確認し（ステップＳ１１０）、読み出していれば（ステップＳ１１０；Ｙ）読み取った画像データをページ番号と関連付けて保存し（ステップＳ１１１）、載置トレイ２１上の原稿１の有無を確認する（ステップＳ１０６）。ページ番号を読み出していなければ（ステップＳ１１０；Ｎ）、読み取った画像データのみを保存し（ステップＳ１１２）、載置トレイ２１上の原稿１の有無を確認する（ステップＳ１０６）。
【０１３５】
また、重送が発生したと判定された場合は（ステップＳ１０２；Ｙ）、重送された原稿について読み取った画像データを破棄する（ステップＳ１０３）。そして、ＲＦＩＤタグ２にジョブ情報を書き込み（ステップＳ１０４）、さらに、重送情報を書き込んで（ステップＳ１０５）、載置トレイ２１上の原稿１の有無を確認する（ステップＳ１０６）。
【０１３６】
載置トレイ２１上に原稿１が残っていれば（ステップＳ１０６；Ｙ）これまでの動作を繰り返す（ステップＳ１０１〜Ｓ１０６、Ｓ１０９〜Ｓ１１２）。
【０１３７】
載置トレイ２１上に原稿１が残っていなければ（ステップＳ１０６；Ｎ）、原稿の読取中に重送が発生したか否かを確認し（ステップＳ１０７）、重送が発生していなければ（ステップＳ１０７；Ｎ）そのままジョブを実行し、保存した画像データやページ番号を削除して（ステップＳ１０８）動作を終了する（エンド）。
【０１３８】
原稿の読取中に重送が発生していれば（ステップＳ１０７；Ｙ）、読み取った画像データに実行中のジョブに関するジョブ情報を関連付けて保存し（ステップＳ１１３）、現在の設定が保留モードか否かを確認する（ステップＳ１１４）。強制実行モードとなっている場合は（ステップＳ１１４；Ｎ）、重送された原稿以外の原稿１から読み取った画像だけでジョブを実行し、保存した画像データを削除して（ステップＳ１１５）ジョブの実行中に重送が発生した旨の警告を行ない（ステップＳ１１７）動作を終了する（エンド）。
【０１３９】
設定が保留モードとなっている場合は（ステップＳ１１４；Ｙ）、そのままジョブを保留して（ステップＳ１１６）ジョブの実行中に重送が発生した旨の警告を行ない（ステップＳ１１７）動作を終了する（エンド）。
【０１４０】
重送された原稿１のＲＦＩＤタグ２に重送情報を書き込むことで、どの原稿１で重送が発生したのかを後から特定することができる。これにより、重送の発生した位置をユーザに知らせるために重送発生時点で原稿１の読取動作を中断する必要がなくなる。
【０１４１】
また、実行中であったジョブに関するジョブ情報を重送された原稿１のＲＦＩＤタグ２に書き込むことで、後からこれらの情報を読み出して再度の設定操作なしに同じ内容のジョブを実行するのに利用することができる。
【０１４２】
図９は、第１の実施の形態に係わる画像処理装置１０が実行する再処理動作の流れを示している。
【０１４３】
警告などにより重送の発生を知ったユーザから実行指示を受け付けると再処理動作をスタートする。画像処理装置１０は、載置トレイ２１に載置された原稿１を自動原稿搬送装置２０で搬送しながら、ＲＦＩＤタグ２内の情報を読み出す（ステップＳ２０１）。このとき、原稿１ページ毎に重送情報が読み出されたか否かを確認し（ステップＳ２０２）、重送情報がなかった場合には（ステップＳ２０２；Ｎ）、載置トレイ２１上の原稿１の有無を確認する（ステップＳ２０６）。
【０１４４】
重送情報が読み出された場合は（ステップＳ２０２；Ｙ）、搬送中の原稿１の画像を読み取って保存し、ＲＦＩＤタグ２内の重送情報やジョブ情報を消去する（ステップＳ２０３）。ＲＦＩＤタグ２から読み出した情報にページ番号が含まれていない場合は（ステップＳ２０４；Ｎ）、載置トレイ２１上の原稿１の有無を確認する（ステップＳ２０６）。
【０１４５】
一方、ページ番号を読み出した場合は（ステップＳ２０４；Ｙ）、読み取った画像データにページ番号を対応付けて（ステップＳ２０５）載置トレイ２１上の原稿１の有無を確認する（ステップＳ２０６）。
【０１４６】
載置トレイ２１上に原稿１が残っていれば（ステップＳ２０６；Ｙ）これまでの動作を繰り返す（ステップＳ２０１〜Ｓ２０６）。
【０１４７】
載置トレイ２１上に原稿１が残っていなければ（ステップＳ２０６；Ｎ）、これまでの動作で画像を読み取ったか否かを確認し（ステップＳ２０７）、画像を読み取っていなければ（ステップＳ２０７；Ｎ）そのまま動作を終了する（エンド）。
【０１４８】
画像を読み取った場合には（ステップＳ２０７；Ｙ）、読み取った画像が保留中のジョブに係わるものであるか否かを確認する（ステップＳ２０８）。重送発生時の設定が強制実行モードである場合には（ステップＳ２０８；Ｎ）、そのままジョブを実行する（ステップＳ２１１）。
【０１４９】
保留ジョブに係わる画像である場合は（ステップＳ２０８；Ｙ）、ステップＳ２０５の動作で読み取った画像データがページ番号と対応付けられているか否かを確認する（ステップＳ２０９）。ページ番号と対応付けられていない場合は（ステップＳ２０９；Ｎ）、ジョブ保留時に保存しておいた画像の最後のページに続けて今回読み取った画像を補充して（ステップＳ２１２）ジョブを実行する（ステップＳ２１１）。
【０１５０】
ページ番号と対応付けられている場合は（ステップＳ２０９；Ｙ）、今回読み取った画像をページ番号に基づく正しいページ位置に補充して（ステップＳ２１０）ジョブを実行する（ステップＳ２１１）。
【０１５１】
以上のステップの動作が完了したら、重送が発生した際に設定されていたモードに応じてジョブを実行して（ステップＳ２１１）動作を終了する（エンド）。
【０１５２】
図１０は、第１の実施の形態に係わる画像処理装置１０が再処理動作時にジョブを実行する動作の流れ（図９のステップＳ２１１に相当する。）を示している。
【０１５３】
再処理動作のジョブがスタートすると、読み取った原稿１の重送発生時の設定が強制実行モードであったか保留モードであったかを判断する（ステップＳ３０１）。強制実行モードであった場合は、（ステップＳ３０１；Ｎ）、再処理動作で読み取った画像に対してその原稿１に付されていたＲＦＩＤタグ２から読み出したジョブ情報に基づいてジョブを実行し（ステップＳ３０２）動作を終了する（エンド）。
【０１５４】
たとえば、重送発生時に実行中のジョブが送信ジョブであれば、再処理動作で読み取った画像のみがファクシミリ送信される。また、複写ジョブであれば、再処理動作で読み取った画像のみが印刷される。
【０１５５】
また、読み取った原稿１の重送発生時の設定が保留モードであった場合は（ステップＳ３０１；Ｙ）、再処理動作で読み取った画像の補充が完了した画像に対して、ＲＦＩＤタグ２から読み出したジョブ情報に基づいてジョブを実行し（ステップＳ３０３）、動作を終了する（エンド）。
【０１５６】
保留モードでは、再処理動作で読み取った画像が保留になっているジョブの画像として補充される。これにより、たとえば、重送発生時に実行中のジョブが送信ジョブであれば、重送された原稿１を含む原稿束全体の画像がファクシミリ送信される。また、複写ジョブであれば、重送された原稿１を含む原稿束全体の画像が印刷される。
【０１５７】
以上の動作の流れのまとめとして、重送が発生してから再処理動作が完了するまでに原稿１や画像に対してなされる処理の内容をモード別に説明する。
【０１５８】
図１１は、保留モードにおける各原稿１とその画像とに対する処理の内容を模式的に示している。図１１では、５枚の原稿１から画像「Ａ、Ｂ、Ｃ、Ｄ、Ｅ」を読み取って任意のジョブを実行する際に、画像「Ｃ、Ｄ」を有する原稿１の間で重送が発生した場合について説明する。
【０１５９】
図１１（ａ）は、重送発生時の処理内容を示している。原稿の読取動作実行中に重送が発生すると、重送された原稿１（図中、斜線で塗りつぶして表示）のＲＦＩＤタグ２には、それぞれ重送情報とジョブ情報とが書き込まれる。これらの原稿１に対応する画像データ「Ｃ、Ｄ」は、画像処理装置１０内に保存されない。一方、重送された原稿以外の原稿１に対しては、画像の読み取りや、ＲＦＩＤタグ２からのページ番号の読み出しが継続される。そして、読取動作で得た画像データ「Ａ、Ｂ、Ｅ」や、それぞれの画像に対応するページ番号が画像処理装置１０内部に保存され、ジョブの実行が保留される。
【０１６０】
図１１（ｂ）は、再処理動作時の処理内容を示している。再処理動作が開始すると、重送情報に基づいて重送に係わる原稿１が峻別され画像データ「Ｃ、Ｄ」やそのページ番号が取得される。一方、画像処理装置１０内には、保留中のジョブに係わる画像データ「Ａ、Ｂ、Ｅ」が保存されている。再処理動作で読み取られた画像は、この保留中のジョブに係わる画像データとして補充される。画像がページ番号と関連付けられている場合には、再処理動作で読み取った画像データは、ページ番号に基づくページ位置に補充される。補充の完了した画像データに対して、ジョブ情報に基づいて保留されていたジョブが実行されて処理が完了する。
【０１６１】
保留モードでは、重送の発生後も原稿１の読取動作を最後まで継続してジョブを一旦終了させる。これにより、重送が発生しても画像処理装置１０を他のユーザに開放することができる。また、重送の発生した不完全な状態のままではジョブを実行せずに保留しておき、重送のあった原稿１の画像が補充されてからジョブを実行する。これにより、原稿画像の印刷や送信などの出力処理が１回にまとめて実行される。
【０１６２】
また、原稿束の中から以前の画像読取時に重送が発生していた原稿１を自動的に峻別してそれらを読み取り直す。これにより、どの原稿が重送されたのかの確認作業をユーザ自身が行なわずに済む。さらに、重送発生時と同じ内容のジョブを再度の設定操作なしに実行することができ、利便性が向上する。
【０１６３】
ＲＦＩＤタグ２にページ番号が記憶されている場合は、再処理動作で読み取った原稿１の画像を、ページ番号に基づくページ位置に補充する。これにより、重送が発生せず正常に原稿束全体の読取動作が完了した場合とページの並び順を含めて同じ状態でジョブが実行され、ページ順序を並べ直す手間がかからない。
【０１６４】
図１２は、強制実行モードにおける各原稿１とその画像とに対する処理の内容を模式的に示している。前提条件は、図１１に例示したものと同じである。
【０１６５】
図１２（ａ）は、重送発生時の処理内容を表わしている。原稿の読取動作実行中に重送が発生すると、重送された原稿１（図中、斜線で塗りつぶして表示）のＲＦＩＤタグ２に重送情報とジョブ情報とが書き込まれる。画像「Ｃ、Ｄ」は、画像処理装置１０内に保存されない。一方、重送原稿以外の原稿１に対しては、画像の読み取りが継続される。そして、正常に読み取られた画像「Ａ、Ｂ、Ｅ」に対してジョブが実行されて処理が完了する。
【０１６６】
図１２（ｂ）は、再処理動作時の処理内容を示している。再処理動作が開始すると、重送情報に基づいて重送に係わる原稿１が峻別され画像「Ｃ、Ｄ」が読み取られる。同時に、重送原稿１のＲＦＩＤタグ２からジョブ情報が読み出される。そして、再処理動作で読み取られた画像に対して、ジョブ情報に基づくジョブが実行される。これにより、重送発生時に正常に読み取られた画像に対して実行された処理と同一の処理が実行される。
【０１６７】
強制実行モードでは、原稿束の中から以前の画像読取時に重送された原稿１を自動的に峻別してそれらを読み取り直す。そして、重送発生時に該原稿１に対して実行されなかったジョブを自動的に実行する。これにより、どの原稿で以前に重送が発生していたのかの確認作業をユーザ自身で行なわずに済む。また、以前に重送のあった原稿１に対してのみジョブを実行するので、処理時間の短縮や印刷出力を伴うジョブでは紙やトナーの省資源に役立つ。
【０１６８】
なお、ＲＦＩＤタグ２に記憶された重送情報やジョブ情報を利用すれば、別の場所の画像処理装置１０からでも、重送されたときと同じジョブを再度の設定操作なしに実行できる。たとえば、自社からの送信ジョブが重送により失敗した場合に、出張先の同じ機能を有する画像処理装置１０で重送された原稿１の画像だけを送信することもできる。
【０１６９】
図１３は、ファクシミリ操作画面７０に警告表示がされている状態の一例を示している。
【０１７０】
ファクシミリ操作画面７０は、ファクシミリ機能による送信ジョブの操作を受け付けるタッチパネル画面である。警告メッセージ７１は、ジョブの実行中に重送が発生したことをユーザに通知するための警告表示である。警告メッセージ７１は、重送が発生時のジョブのジョブ番号や、再処理動作を促す案内メッセージから構成されている。
【０１７１】
重送ジョブ再処理釦７２は、画面表示をユーザから再処理動作の実行指示を受け付ける画面に切り替える釦である。重送ジョブ再処理釦７２は、重送発生をユーザに通知する警告表示としての機能も果たしている。重送ジョブ再処理釦７２は、重送が発生したと判定された場合にのみファクシミリ操作画面７０に表示される。
【０１７２】
なお、スキャンジョブなどの他のジョブについての図示省略の操作画面にも同様に警告メッセージ７１や重送ジョブ再処理釦７２が表示される。これにより各ジョブの実行中に重送が発生した旨の警告がなされる。また、警告を所定の端末へ送信する場合には、たとえば、警告メッセージ７１と同じ内容の警告が送信される。
【０１７３】
図１４は、基本画面７３に重送ジョブ再処理釦７２が表示されている状態の一例を示している。基本画面７３は、ジョブを受け付けていない状態でデフォルト表示される複写ジョブの操作を受け付けるタッチパネル画面である。重送ジョブ再処理釦７２は、重送が発生後に再処理動作が行なわれていないことを警告する警告表示としての機能を果たしている。図１３のような警告があったにもかかわらず、再処理動作が行なわれない場合には、画面が切り替わっても重送ジョブ再処理釦７２表示がされ続ける。
【０１７４】
図１５は、ユーザから再処理動作の実行指示を受け付ける受付画面７４の一例を示している。受付画面７４は、ファクシミリ操作画面７０などに表示される重送ジョブ再処理釦７２を押すと切替表示される画面である。受付画面７４は、ジョブ情報表示７５と実行釦７６となどから構成される。ジョブ情報表示７５は、重送発生時のジョブを識別するためのジョブ情報を通知する機能を果たす。実行釦７６は、ユーザから再処理動作の実行指示を受け付ける機能を果たす。ユーザが実行釦７６のタッチパネルを押すと再処理動作が実行され、図示省略のキャンセルスイッチを押すと再処理動作の実行がキャンセルされて基本画面７３に戻る。
【０１７５】
このように、ジョブの実行中に重送が発生した旨の警告がなされるので、ユーザはこの警告に基づいて必要な善後策を講じることができる。また、この警告をＰＣ８などの所定端末へ送信することができるので、ユーザは遠隔からでも重送の発生を知ることができる。
【０１７６】
続いて、重送が発生した原稿１を特定するための情報を画像処理装置８０側に記憶する第２の実施の形態について説明する。
【０１７７】
第２の実施の形態では、原稿１に付されたＲＦＩＤタグ２が重送情報やジョブ情報を書き込む領域を有していない。これに代えて各ＲＦＩＤタグ２固有の識別情報を記憶している。識別情報は、ＲＦＩＤタグ２が付された原稿１を他の原稿から峻別するための指標としての機能を果たす。
【０１７８】
図１６は、第２の実施の形態に係わる画像処理装置８０の電気的構成を示している。画像処理装置８０は、図１に示した第１の実施の形態に係わる画像処理装置１０と基本構成は同様である。以下、第１の実施の形態と相違する点を説明する。
【０１７９】
第２の実施の形態では、ＲＦＩＤタグ２に重送情報やジョブ情報を書き込む領域がない。したがって、無線制御部５２は検知読出手段５３の機能のみを有している。
【０１８０】
不揮発メモリ５５は、重送された原稿１の識別情報を実行中のジョブに係わるジョブ情報と関連付けて記憶する記憶手段としての機能を果たす。さらに、重送されなかった原稿１の画像データを識別情報やジョブ情報と関連付けて保存する機能も有している。
【０１８１】
判定手段５６は、図５、図６で説明した手法に基づいて、重送された原稿１の有無を判定する機能を有する。この点は、第１の実施の形態と同じである。さらに、判定手段５６は、重送が発生したと判定した際に、重送された原稿１のＲＦＩＤタグ２から読み出された識別情報を不揮発メモリ５５に提供する機能と、実行中のジョブに関するジョブ情報を上記の識別情報と関連付けて不揮発メモリ５５に提供する機能とを有している。
【０１８２】
図１７は、第２の実施の形態に係わる画像処理装置８０がジョブの実行中に重送の有無を判定して、そのジョブを継続または保留する動作の流れを示している。画像処理装置８０は、ＲＦＩＤタグ２から識別情報を読み出して重送された原稿１を後から特定するための情報とする。たとえば、図８のステップＳ１０４〜Ｓ１０６の各動作は、図１７のステップＳ４０４に示す動作に置き替えられる。すなわち、重送が発生したと判定したら（ステップＳ４０２；Ｙ）、その原稿の画像データを破棄し（ステップＳ４０３）、重送された原稿１のＲＦＩＤタグ２から読み出した識別情報を記憶する（ステップＳ４０４）。
【０１８３】
また、画像処理装置１０は、この識別情報を正常に読み取った原稿１の画像データや実行中のジョブ情報と関連付けて保存する（ステップＳ４１２）。強制実行モードであれば（ステップＳ４１３；Ｎ）、正常に読み取った画像でジョブを実行した後、この画像データのみを削除する（ステップＳ４１４）。これにより、重送された原稿１の識別情報とジョブ情報とのみが保存される。また、保留モードでは（Ｓ４１３；Ｙ）、そのままジョブを保留する（ステップＳ４１５）。
【０１８４】
図１８は、第２の実施の形態に係わる画像処理装置８０が実行する再処理動作の流れを示している。画像処理装置８０は、装置内に保存した識別情報を用いて、重送された原稿１を峻別する。たとえば、各原稿１のＲＦＩＤタグ２から読み出した識別情報を、画像処理装置８０内に記憶されている識別情報と照合して、これらの情報が一致する場合に重送された原稿１であると判断して画像の読み取りを行なう（ステップＳ５０２）。そして、読み取った画像を、画像処理装置８０内に記憶されているジョブ情報と関連付ける（ステップＳ５０３）。
【０１８５】
なお、ステップＳ５１１で実行される動作は、図１０で示した動作の流れとほぼ同一である。強制実行モードでは、再処理動作で読み取った画像に対するジョブが、画像処理装置８０内に保存されているジョブ情報に基づいて実行される点のみが異なっている。
【０１８６】
第２の実施の形態では、重送と判定された原稿１を識別する識別情報をＲＦＩＤタグ２から読み出し、重送と判定された原稿１を特定するための情報として記憶しておく。これにより、重送の発生した位置をユーザに知らせるために重送発生時点で原稿の搬送動作を停止させ、画像処理装置８０を重送発生時の状態のまま保留しなくて済む。また、ジョブ情報を、識別情報と関連付けて記憶しておけば、後から読み取った画像に対して再度の設定操作なしに重送時と同じ内容のジョブを実行することができる。
【０１８７】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１８８】
たとえば、原稿１に付する情報記憶媒体は、磁気カードなどの接触式のものであってもよい。
【０１８９】
また、実施の形態では重送情報とジョブ情報とを別々の情報として構成したが、ジョブ情報が重送情報を兼ねていてもよい。たとえば、強制実行モードでの再読取動作時にＲＦＩＤタグ２からジョブ情報が読み出された場合に、その原稿１を重送に係わるものと峻別してもよい。
【０１９０】
また、再処理動作を行なわない画像処理装置であってもよい。たとえば、判定手段５６で重送が発生したことを検知したら、重送の発生した旨を警告し、ユーザ自身にジョブを再実行するように要請してもよい。
【０１９１】
また、実施の形態では複数枚が同時に搬送されたすべての原稿を重送と判定するようにしたが、重送の判定結果はこの例に限定されない。たとえば、コンタクトガラス３１に接している面の原稿を正常に搬送された原稿と判定して、その背面にある２枚目以降の原稿を重送された原稿と判定するようにしてもよい。
【０１９２】
また、重送に係わる複数のジョブを管理するように構成してもよい。この場合は、重送が発生したジョブを識別するジョブ番号などを利用するとよい。そして、このジョブ番号を重送が発生した原稿のＲＦＩＤタグ２に記憶させたり、画像処理装置８０内の識別情報と関連付けて記憶したりすれば、重送が発生した複数のジョブを区別して管理することができる。
【０１９３】
また、ＲＦＩＤタグ２に書き込まれるジョブ情報は、種別情報や相手先情報に限定されない。送信部数や印刷部数、解像度、拡大縮小などに関するジョブ情報を必要に応じて書き込むようにすれば、重送発生時に実行していたジョブのより詳細な内容の動作を再度の設定操作なしに実行させることができる。
【０１９４】
また、再処理動作を実行する際にＲＦＩＤタグ２に書き込まれた重送情報やジョブ情報を消去せずに何度も利用できるようにしてもよい。たとえば、再処理動作が正常に完了したことを確認してから、別途ユーザからのマニュアル指示によりこれらの情報を消去してもよい。
【０１９５】
また、ユーザの実行指示を待って再処理動作を開始するのではなく、自動的に再処理動作を開始するように構成してもよい。たとえば、載置トレイ２１にＲＦＩＤタグ２に記憶されている情報を読み出すためのアンテナを設置しておく。そして、載置された原稿束の中に重送情報や、重送と判定された識別情報と一致する識別情報を記憶しているＲＦＩＤタグ２が含まれていることを認識したら自動的に再処理動作を開始するようにしてもよい。
【０１９６】
また、第２の実施の形態においても、重送情報やジョブ情報を書き込み可能なように画像処理装置８０やＲＦＩＤタグ２を構成してもよい。ＲＦＩＤタグ２に重送情報やジョブ情報を書き込んでおけば、第１の実施の形態に係わる再処理動作を実行可能な他の画像処理装置１０を利用して、重送された原稿１に対して実行されなかったジョブを再度実行させることができる。
【０１９７】
さらに、再処理動作中に再度同じ原稿１で重送が発生した場合にも対応することもできる。たとえば、このような事態が生じた原稿１については再処理動作失敗と判定して新たな警告を行なうようにすればよい。
【図面の簡単な説明】
【０１９８】
【図１】本発明の実施の形態に係わる自動原稿搬送装置の構成図である。
【図２】本発明の第１の実施の形態に係わる画像処理装置の電気的構成を示すブロック図である。
【図３】原稿にＲＦＩＤタグが付されている位置の代表例を示した説明図である。
【図４】ＲＦＩＤタグに記憶される情報の内容についての説明図である。
【図５】第１の判定手法により重送の有無を判定する原理を示す説明図である。
【図６】第２の判定手法により重送の有無を判定する原理を示す説明図である。
【図７】第１の実施の形態に係わる画像処理装置を利用したシステム構成の一例である。
【図８】第１の実施の形態に係わる画像処理装置がジョブの実行中に重送の有無を判定して、そのジョブを継続または保留する動作の流れを示す流れ図である。
【図９】第１の実施の形態に係わる画像処理装置が実行する再処理動作の流れを示す流れ図である。
【図１０】第１の実施の形態に係わる画像処理装置が再処理動作時にジョブを実行する動作の流れを示す流れ図である。
【図１１】保留モードにおける原稿やその画像に対する処理内容を示す説明図である。
【図１２】強制実行モードおける原稿やその画像に対する処理内容を示す説明図である。
【図１３】ファクシミリ操作画面に重送が発生した旨の警告が表示されている状態の一例を示す説明図である。
【図１４】基本画面に重送再処理釦が表示されている状態の一例を示す説明図である。
【図１５】ユーザから再処理動作の実行指示を受け付ける受付画面の一例を示す説明図である。
【図１６】本発明の第２の実施の形態に係わる画像処理装置の電気的構成を示すブロック図である。
【図１７】第２の実施の形態に係わる画像処理装置がジョブの実行中に重送の有無を判定して、そのジョブを継続または保留する動作の流れを示す流れ図である。
【図１８】第２の実施の形態に係わる画像処理装置が実行する再処理動作の流れを示す流れ図である。
【符号の説明】
【０１９９】
１、１ａ、１ｂ、１ｃ…原稿
１Ａ…第１原稿
１Ｂ…第２原稿
２、２ａ、２ｂ、２ｃ、２ｄ…ＲＦＩＤタグ
２Ａ…第１ＲＦＩＤタグ
２Ｂ…第２ＲＦＩＤタグ
３…検知領域
４…時間軸
８…ＰＣ
９…ファクシミリ装置
１０…画像処理装置
１０ａ…本体
１１…ＣＰＵ
１２…ＲＯＭ
１３…ＲＡＭ
２０…自動原稿搬送装置
２１…載置トレイ
２２…給紙ローラ
２３…密着ローラ
２４…案内ローラ
２５…切替爪
２６…反転ローラ
２７…排紙トレイ
３０…画像読取部
３１…コンタクトガラス
３２…プラテンガラス
３３…光源
３４…ミラー
３５…露光走査部
３６…ラインイメージセンサ
３７…集光レンズ
３８…ミラー
４０…ＬＣＤ
４１…入力部
４２…画像処理部
４３…プリンタ部
４４…通信部
５０…アンテナ
５１…原稿センサ
５２…無線制御部
５３…検知読出手段
５４…書込手段
５５…不揮発メモリ
５６…判定手段
５７…切替設定手段
５８…再処理手段
５９…警告手段
６０、６０ａ、６０ｂ…ＲＦＩＤデータ
６１…ページ番号領域
６２…重送情報領域
６３…ジョブ情報領域
６４…予備領域
７０…ファクシミリ操作画面
７１…警告メッセージ
７２…重送ジョブ再処理釦
７３…基本画面
７４…受付画面
７５…ジョブ情報表示
７６…実行釦
８０…画像処理装置
【図１】
2008306748.tif 000003
【図２】
2008306748.tif 000004
【図３】
2008306748.tif 000005
【図４】
2008306748.tif 000006
【図５】
2008306748.tif 000007
【図６】
2008306748.tif 000008
【図７】
2008306748.tif 000009
【図８】
2008306748.tif 000010
【図９】
2008306748.tif 000011
【図１０】
2008306748.tif 000012
【図１１】
2008306748.tif 000013
【図１２】
2008306748.tif 000014
【図１３】
2008306748.tif 000015
【図１４】
2008306748.tif 000016
【図１５】
2008306748.tif 000017
【図１６】
2008306748.tif 000018
【図１７】
2008306748.tif 000019
【図１８】
2008306748.tif 000020